(57)【特許請求の範囲】
【請求項１】
複数のワイヤレス送信／受信ユニット（ＷＴＲＵ）のそれぞれから、構成情報を受信するよう構成された無線受信機であって、前記複数のＷＴＲＵのうちの少なくとも１つから受信される構成情報は、２０ＭＨｚチャネルおよび４０ＭＨｚチャネルの共存に関する情報、グリーンフィールド保護情報、時空間ブロック符号化（ＳＴＢＣ）情報、並びに従来のシグナルフィールド（Ｌ−ＳＩＧ）送信権（ＴＸＯＰ）保護情報を含む、無線受信機と、
前記複数のＷＴＲＵのうちの少なくとも１つに、ＩＥＥＥ８０２．１１ｎチャネル化および従来の保護に関する、前記複数のＷＴＲＵのうちの少なくとも１つの動作を制御するための命令を送信するよう構成された無線送信機であって、ＩＥＥＥ８０２．１１ｎチャネル化および従来の保護に関する、前記複数のＷＴＲＵのうちの少なくとも１つの動作を制御するための前記命令の内容は、前記複数のＷＴＲＵのそれぞれからの前記構成情報に少なくとも基づく、無線送信機と
を備えたことを特徴とするアクセスポイント（ＡＰ）。
【請求項２】
前記複数のＷＴＲＵのうちの少なくとも１つから受信される前記構成情報は、物理層スプーフィング、短縮されたフレーム間スペース（ＲＩＦＳ）保護、および共存運用（ＰＣＯ）のうちの少なくとも１つに関する情報をさらに含むことを特徴とする請求項１に記載のＡＰ。
【請求項３】
前記無線受信機は、接続処理の間又は接続処理の後に、前記複数のＷＴＲＵのそれぞれから前記構成情報を無線で受信するようさらに構成されたことを特徴とする請求項１に記載のＡＰ。
【請求項４】
前記無線送信機は、前記複数のＷＴＲＵのうちの少なくとも１つに、構成情報についての要求を無線で送信するようさらに構成され、
前記無線受信機は、前記要求に応じて、前記構成情報を無線で受信するようさらに構成されたことを特徴とする請求項１に記載のＡＰ。
【請求項５】
前記無線受信機は、前記複数のＷＴＲＵのそれぞれから、前記構成情報を周期的に更新したデータを無線で受信するよう構成され、
前記無線送信機は、前記複数のＷＴＲＵのうちの少なくとも１つの動作を制御するための前記命令を周期的に更新したデータを、前記複数のＷＴＲＵの少なくとも１つに無線で送信するようさらに構成されたことを特徴とする請求項１に記載のＡＰ。
【請求項６】
前記無線送信機は、専用メッセージ交換、マルチキャストメッセージ、および簡易ネットワーク管理プロトコルのうちの少なくとも１つを用いて、前記複数のＷＴＲＵのうちの少なくとも１つの動作を制御するための前記命令を送信するよう構成されたことを特徴とする請求項１に記載のＡＰ。
【請求項７】
拡張チャネル構成データを含むソフトウェア／ドライバをダウンロードしたものを受信するよう構成されたことを特徴とする請求項１に記載のＡＰ。
【請求項８】
前記複数のＷＴＲＵのうちの少なくとも１つの動作を制御するための前記命令は拡張チャネルブロックコマンド情報を備え、
前記無線送信機は、接続処理の間に前記拡張チャネルブロックコマンド情報を無線で送信するよう構成されたことを特徴とする請求項１に記載のＡＰ。
【請求項９】
前記無線送信機は、輻輳制御メッセージを無線で送信するよう構成され、前記輻輳制御メッセージは前記拡張チャネルブロックコマンド情報を含むことを特徴とする請求項８に記載のＡＰ。
【請求項１０】
前記複数のＷＴＲＵのうちの少なくとも１つから受信される前記構成情報は、チャネル管理方法とチャネル選択方法とを管理する手法に関する情報を含むことを特徴とする請求項１に記載のＡＰ。
【請求項１１】
前記無線受信機および前記無線送信機は、２０ＭＨｚ又は４０ＭＨｚのチャネル帯域幅で動作するよう構成されたことを特徴とする請求項１に記載のＡＰ。
【請求項１２】
構成情報を送信するよう構成された無線送信機であって、前記構成情報は、２０ＭＨｚチャネルおよび４０ＭＨｚチャネルの共存に関する情報、グリーンフィールド保護情報、時空間ブロック符号化（ＳＴＢＣ）情報、並びに従来のシグナルフィールド（Ｌ−ＳＩＧ）送信権（ＴＸＯＰ）保護情報を含む、無線送信機と、
ＩＥＥＥ８０２．１１ｎチャネル化および従来の保護に関する、自ユニットの動作を制御するための命令を受信するよう構成された受信機であって、ＩＥＥＥ８０２．１１ｎチャネル化および従来の保護に関する、自ユニットの動作を制御するための前記命令の内容は、前記構成情報に少なくとも基づく、無線受信機と
を備えたことを特徴とするＷＴＲＵ。
【請求項１３】
前記構成情報は、物理層スプーフィング、短縮されたフレーム間スペース（ＲＩＦＳ）保護、および共存運用（ＰＣＯ）のうちの少なくとも１つに関する情報をさらに含むことを特徴とする請求項１２に記載のＷＴＲＵ。
【請求項１４】
前記無線送信機は、接続処理の間又は接続処理の後に、前記構成情報を無線で送信するようさらに構成されたことを特徴とする請求項１２に記載のＷＴＲＵ。
【請求項１５】
前記無線受信機は、前記構成情報についての要求を無線で受信するようさらに構成され、
前記無線送信機は、前記要求に応じて、前記構成情報を無線で送信するようさらに構成されたことを特徴とする請求項１２に記載のＷＴＲＵ。
【請求項１６】
前記無線送信機は、前記構成情報を周期的に更新したデータを無線で送信するよう構成され、
前記無線受信機は、自ユニットの動作を制御するための前記命令を周期的に更新したデータを、無線で受信するようさらに構成されたことを特徴とする請求項１２に記載のＷＴＲＵ。
【請求項１７】
前記無線受信機は、専用メッセージ交換、マルチキャストメッセージ、および簡易ネットワーク管理プロトコルのうちの少なくとも１つから、自ユニットの動作を制御するための前記命令を受信するよう構成されたことを特徴とする請求項１２に記載のＷＴＲＵ。
【請求項１８】
自ユニットの動作を制御するための前記命令は拡張チャネルブロックコマンド情報を備え、
前記無線受信機は、接続処理の間に前記拡張チャネルブロックコマンド情報を無線で受信するよう構成されたことを特徴とする請求項１２に記載のＷＴＲＵ。
【請求項１９】
前記無線受信機は、輻輳制御メッセージを無線で受信するよう構成され、前記輻輳制御メッセージは前記拡張チャネルブロックコマンド情報を含むことを特徴とする請求項１８に記載のＷＴＲＵ。
【請求項２０】
前記構成情報は、チャネル管理方法とチャネル選択方法とを管理する手法に関する情報を含むことを特徴とする請求項１２に記載のＷＴＲＵ。
【請求項２１】
前記無線送信機および前記無線受信機は、２０ＭＨｚ又は４０ＭＨｚのチャネル帯域幅で動作するよう構成されたことを特徴とする請求項１２に記載のＷＴＲＵ。
【発明の詳細な説明】
【技術分野】
【０００１】
本発明は、無線ＬＡＮ（ワイヤレスローカルエリアネットワーク：ＷＬＡＮ）に関する。特に、本発明はメッシュ無線ＬＡＮにおける高スループットチャネル動作に関する。
【背景技術】
【０００２】
ＩＥＥＥ８０２．１１ｓは、ＩＥＥＥ８０２．１１ＷＬＡＮ技術によるメッシュ無線バックホール（ｂａｃｋｈａｕｌ）を形成する手段を提供するためのドラフト仕様である。データパケットは、送信先に届くために２回以上中継してもよいので、メッシュネットワークはマルチホップネットワークとしても知られている。オリジナルのＷＬＡＮ規格と比較すると、これにより異なる技術が提供される。このオリジナルのＷＬＡＮ規格は、ベーシックサービスセット（ＢＳＳ）を介するシングルホップ通信を用いて、効率的にアクセスポイント（ＡＰ）に接続されるべきステーション（ＳＴＡ）のスタートポロジだけを取り扱っている。
【０００３】
ＩＥＥＥ８０２．１１ｓは、メッシュネットワークを形成するネットワークノード、および全ＳＴＡに対してトランスペアレントであるバックホールにおけるＷＬＡＮメッシュ動作のみを取り扱うものである。これは、従来の（ｌｅｇａｃｙ）ＩＥＥＥ８０２．１１ＷＬＡＮと同様に、ＳＴＡがＢＳＳを介してＡＰ（すなわち、メッシュ機能を有するメッシュＡＰ）にまだ接続していることを意味している。メッシュＡＰは、このメッシュＡＰのバックホール側において、メッシュネットワークを介して送信先にトラフィックを転送し且つルーティングする別のメッシュポイントとつながっている。送信先は、トラフィックを外部ネットワークにルーティングするメッシュポータルであってもよく、メッシュネットワークに取り付けられた別のメッシュＡＰであってもよい。このアプローチを選択することにより、従来の（ｌｅｇａｃｙ）ＳＴＡでさえも、メッシュ使用可能なＷＬＡＮにおいて動作することができる。ＢＳＳにおけるＳＴＡとメッシュＡＰとの間の通信はメッシュネットワークとは完全に独立している。ＳＴＡはバックホールにおけるメッシュネットワークの存在を知らないわけである。
【０００４】
ＩＥＥＥ８０２．１１ｓであるＷＬＡＮのメッシュの規格は、従来の（ｌｅｇａｃｙ）ＩＥＥＥ８０２．１１ａ／ｂ／ｇ無線インターフェイスによって、メッシュポイントに設けることができるという仮定の下で設計された。ＩＥＥＥ８０２．１１ｓ規格は、ほとんど無線インターフェイスに依存しない（ａｇｎｏｓｔｉｃ）。例えば、データパケットのルーティング及び転送は、ＩＥＥＥ８０２．１１ａ／ｂ／ｇ無線インターフェイスの詳細な構成（例えば、変調スキーム又はチャネルコーディング）に依存しない。
【０００５】
ＩＥＥＥ８０２．１１ｓによって、同時マルチチャネル動作のための別の方法が可能になる。マルチチャネル動作を行う１つの方法は、利用可能なデータスループット性能を向上させるため、メッシュポイントにマルチプルＩＥＥＥ８０２．１１無線デバイスを使用することである。別の方法は２つ以上のチャネルのために、１つの無線デバイス（いわゆる共通チャネルフレームワーク（ＣＣＦ））を使用することである。
【０００６】
ＩＥＥＥ８０２．１１ｎ仕様は、高スループット（ＨＴ）ＷＬＡＮを提供する別の仕様である。ＩＥＥＥ８０２．１１ｎのスループット向上の特徴としては、アグリゲーション、拡張された（ｅｎｈａｎｃｅｄ）ブロック確認応答（ＢＡ）、逆方向許可（ｒｅｖｅｒｓｅ  ｄｉｒｅｃｔｉｏｎ  ｇｒａｎｔ）、パワーセーブマルチプルポール（ＰＳＭＰ）、動作帯域幅がある。ＩＥＥＥ８０２．１１ｎでは、データ転送速度は、２つの隣接するチャネル同士を統合することすなわちボンディングすることにより増大する。データ転送速度の増大は、８０２．１１ａ／ｇの場合の２×２０ＭＨｚチャネル占有に対して８０２．１１４０ＭＨｚ動作の場合に数個多くのデータトーン（ｔｏｎｅ）を使用することにより達成される。しかしながら、全てのＩＥＥＥ８０２．１１ｎデバイスが４０ＭＨｚ動作をサポートしているわけではないので、２０ＭＨｚから４０ＭＨｚへの動作の移行は効率的に管理されるべきである。これを達成するために、ＩＥＥＥ８０２．１１ｎ規格は幾つかのチャネル管理メカニズムを備えている。
【０００７】
ＩＥＥＥ８０２．１１ｎにおいて、３つの動作モードが帯域幅及びＢＳＳ機能に従い認められている。すなわち、この３つの動作モードは、２０ＭＨｚ動作、２０／４０ＭＨｚ動作、及び共存運用（Ｐｈａｓｅｄ  Ｃｏｅｘｉｓｔｅｎｃｅ  Ｏｐｅｒａｔｉｏｎ）（ＰＣＯ）である。これらモードは各々関連する動作ルールを有している。２０ＭＨｚ動作においては、全てのＳＴＡは、２０ＭＨｚ又は２０／４０ＭＨｚ対応ＳＴＡであろうとなかろうと、２０ＭＨｚモードにおいてのみ動作する。２０／４０ＭＨｚ動作において、ＳＴＡは、送信チャネル帯域幅（ｃｈａｎｎｅｌ  ｗｉｄｔｈ）アクションメッセージを用いて帯域幅を選択する。さらに、ＢＳＳのＡＰがこのＢＳＳに２０ＭＨｚ及び／又は従来のＳＴＡが存在していることを示している場合、４０ＭＨｚデバイスは、送信要求（ＲＴＳ）フレーム又は送信可（ＣＴＳ）フレームのような従来の（ｌｅｇａｃｙ）制御フレームによりその送信を保護する。任意に構成可能な機能であるＰＣＯモードの場合、ＢＳＳは２０ＭＨｚモードと４０ＭＨｚモードとの間で交互に切り替わる。
【０００８】
ＩＥＥＥ８０２．１１ｓＷＬＡＮメッシュ規格は、できる限り無線にとらわれない（ｒａｄｉｏ  ａｇｎｏｓｔｉｃ）ように試みるが、８０２．１１ａ／ｂ／ｇの代わりにＩＥＥＥ８０２．１１ｎ高スループット無線を統合した場合、さらに複数の問題があることがわかる。例えば、２０ＭＨｚ帯域幅においてのみ動作する既存のＩＥＥＥ８０２．１１ａ／ｂ／ｇシステムとは異なり、ＩＥＥＥ８０２．１１ｎは２０ＭＨｚ帯域幅及び４０ＭＨｚ帯域幅において動作することとなる。
【０００９】
拡張分散チャネルアクセス（Ｅｎｈａｎｃｅｄ  Ｄｉｓｔｒｉｂｕｔｅｄ  Ｃｈａｎｎｅｌ  Ａｃｃｅｓｓ）（ＥＤＣＡ）に基づいたメッシュチャネルアクセスモードの場合、メッシュポイントがチャネルへのアクセスを主張し、それを得ると、特定のリンクにおけるメッシュポイント又は隣接するメッシュポイントは、チャネルアクセスの前又は間に使用されるべき特定のチャネル化手法（すなわち、２０ＭＨｚ対４０ＭＨｚ）について同意しなければならない。さらに、ＩＥＥＥ８０２．１１ｎは、全４０ＭＨｚモードを使用する（すなわち、デュアル２×２０ＭＨｚ８０２．１１ａ無線と比較して多くの数のデータトーンを使用する）ときは、わずかに変えられたサブキャリア構成を使用する。デュアル２×２０ＭＨｚチャネルは従来の無線と共存するためにも処理可能である。現状のＩＥＥＥ８０２．１１ｓ技術では、通信されるべき直交波周波数分割多重（ＯＦＤＭ）パラメータが隣接するＭＰに現状のチャネル識別を通知することしかできないので、ＩＥＥＥ８０２．１１ｎ無線を使用しているとしても、ＩＥＥＥ８０２．１１ｓＷＬＡＮメッシュネットワークにおいてＩＥＥＥ８０２．１１ｎ無線を使用することは、従来の２０ＭＨｚモードによる制限のために厳密に制限される。
【発明の概要】
【発明が解決しようとする課題】
【００１０】
現状のＩＥＥＥ８０２．１１ｓＷＬＡＮメッシュネットワークによる別の問題は、使用されるべき高スループットチャネル化モード及び構成に対する特定のメッシュリンク、隣接するメッシュ、又は全メッシュネットワークのセットアップ及び構成についてのものである。例えば、特定のリンク、隣接するメッシュ、又は全メッシュにおいてどちらのバージョン（全４０ＭＨｚ又は２×２０ＭＨｚ）においても４０ＭＨｚアクセスを使用することを防止するか可能にすることは現時点では不可能である。これは現状のＩＥＥＥ８０２．１１ｓ技術による制限であり、現状のＩＥＥＥ８０２．１１ｓ技術は８０２．１１ｎ無線及びＷＬＡＮメッシュ技術による全ての提案されたＩＥＥＥ８０２．１１ｎ改善点の効率的な使用に対する障害となっている。
【００１１】
したがって、上記の欠点を解消するスキームを得ること、およびＩＥＥＥ８０１．１１ｓＷＬＡＮメッシュネットワークへのＩＥＥＥ８０２．１１ｎ無線の一体化を可能にすることが望まれている。
【課題を解決するための手段】
【００１２】
本発明は、メッシュＷＬＡＮにおける高スループットチャネル動作に関する。メッシュネットワークは複数のメッシュポイント及びネットワーク管理エンティティ（ＮＭＥ）を備えている。ＮＭＥは、メッシュポイントから機能及び構成データを引き出すように構成される。ＮＭＥは、機能及び構成データに基づいたＩＥＥＥ８０２．１１ｎチャネル化モード及び従来の（ｌｅｇａｃｙ）保護モードに関する少なくとも１つのメッシュポイントを構成する。
【００１３】
本発明のより詳細な理解のため、例として添付する図面と共に最良の実施形態について説明を行う。
【図面の簡単な説明】
【００１４】
【図１】本発明によるメッシュネットワークの図である。
【発明を実施するための形態】
【００１５】
以降、用語「ＳＴＡ」は、ワイヤレス環境において動作することができるワイヤレス送信／受信ユニット（ＷＴＲＵ）、ユーザ装置（ＵＥ）、固定式若しくは移動式加入者ユニット、ポケベル、携帯電話、個人情報端末（ＰＤＡ）、コンピュータ、又はその他の種類のユーザデバイスを含むものとするが、これらに限定されない。また、以降、用語「ＡＰ」は、ワイヤレス環境において動作することができるノードＢ（Ｎｏｄｅ−Ｂ）、サイトコントローラ、基地局、又はその他の種類のインターフェイスデバイスを含むものとするが、これらに限定されない。
【００１６】
図１は、本発明によるメッシュネットワーク１００を示す図である。メッシュネットワーク１００は複数のメッシュポイント１０２−１１８を備えている。メッシュネットワーク１００はメッシュポータル１０２を備えることもできる。メッシュポータル１０２は、外部ネットワーク（例えば、有線ネットワーク）との接続部を有するメッシュポイントである。メッシュポイントの幾つかは、メッシュＡＰ１１２−１１８であってもよい。各メッシュＡＰ１１２−１１８は、それ自体のＢＳＳ１３２−１３８においてＡＰとしても機能するメッシュポイントである。一方で、メッシュＡＰ１１２−１１８はメッシュでないＡＰとして機能し、そのＢＳＳにおいてメッシュＳＴＡ１２０−１２６のために動作する。他方で、メッシュＡＰ１１２−１１８はワイヤレスブリッジとして機能し、パケットを受信し、メッシュネットワーク１００を介して転送し、ルーティングする。ＮＭＥ１４０がメッシュネットワーク１００に設けられる。ＮＭＥ１４０は、メッシュネットワーク１００における２つ以上のメッシュポイント１０２−１１８に備えられてもよい。図面を簡単にするために、図１はメッシュポイント１０４に配置された１つのＮＭＥ１４０だけを示している。しかしながら、ＮＭＥはどのメッシュポイント１０２−１１８に配置されてもよく、２つ以上のＮＭＥがメッシュネットワーク１００に設けられてもよい。あるいは、ＮＭＥ１４０はメッシュネットワーク１００の外に配置され、メッシュポータル１０２を介してメッシュネットワーク１００に送信するようにすることもできる。メッシュポイント１０２−１１８の中で、少なくとも１つのメッシュポイントはＩＥＥＥ８０２．１１ｎに対応している。
【００１７】
ＮＭＥ１４０は、メッシュポイント１０２−１１８から機能（ｃａｐａｂｉｌｉｔｙ）及び構成データを引き出し、特定のメッシュリンク、特定のメッシュポイント、メッシュポイント、メッシュネットワーク１００におけるメッシュポイントのサブセット、又は全メッシュネットワークのためのＩＥＥＥ８０２．１１ｎチャネル化モード（すなわち、２０ＭＨｚ、２×２０ＭＨｚ、又は４０ＭＨｚ）、従来の保護モード、及びその他の設定に関するメッシュポイント１０２−１１８を構成する。メッシュポイント１０２−１１８は特定のリンク又はその他の論理基準（ｌｏｇｉｃａｌ  ｃｒｉｔｅｒｉａ）に基づいてサブセットに分けられてもよい。例えば、ＮＭＥ１４０が、従来の物理層送信フォーマット（例えば、ＩＥＥＥ８０２．１１ａ／ｂ／ｇ）を使用する１つ以上のメッシュポイントが存在すること、及び／又はメッシュネットワーク１００若しくはメッシュネットワーク１００のサブセットにおいて従来のＳＴＡが存在することをメッシュポイント１０２−１１８からの機能及び構成データから知ることができる場合、ＮＭＥ１４０は、このメッシュポイント及びＳＴＡの周辺にメッシュポイントを構成し、ＩＥＥＥ８０２．１１ｎに基づいたメッシュポイントからの送信の前に、従来の物理層送信フォーマット（例えば、従来のＲＴＳ／ＣＴＳフレーム）を使用する。例えば、４０ＭＨｚ帯域幅を用いるメッシュポイント（ＩＥＥＥ８０２．１１ｎ物理層送信フォーマットを用いるＭＰ）は、送信要求（ＲＴＳ）フレーム又は送信可（ＣＴＳ）フレームのような従来の制御フレームによって送信を保護する。
【００１８】
ＮＭＥ１４０により引き出すことができる通常の機能及び構成データを表１に示す。メッシュネットワーク１００がコヒーレントであり、類似する機能が全メッシュネットワークに渡ってサポートされており、最小の共通パラメータをサポートするか、特定のワイヤレスリンクにおける少なくとも１つのピアメッシュポイントがコヒーレントに設定されるように、ＮＭＥ１４０はメッシュポイント１０２−１１８を構成する。
【００１９】
【表１】
0005572743.tif 000002
【００２０】
メッシュポイント１０２−１１８の機能及び構成データはメッシュポイント１０２−１１８又はＮＭＥ１４０におけるデータベースに記憶されていてもよい。あるいは、データベースはメッシュネットワーク１００の外にあってもよい。
【００２１】
ＮＭＥ１４０は、接続処理の間、又はメッシュポイント１０２−１１８がメッシュネットワーク１００との接続処理を実行されたすぐ後に、メッシュポイント１０２−１１８から機能及び構成データを要求してもよい。機能及び構成データの引き出しは接続処理の一部であってもよく、又は別々に行ってもよい。メッシュポイント１０２−１１８はＮＭＥ１４０からの要求に応じて、機能及び構成データを送信してもよい。あるいは、メッシュポイント１０２−１１８は、ＮＭＥ１４０からの要求（ｓｏｌｉｃｉｔａｔｉｏｎ）無しに、ＮＭＥ１４０に機能及び構成データを送信してもよい。ポーリングを、機能及び構成データの送信のきっかけとなるように使用してもよい。
【００２２】
ＮＭＥ１４０は、メッシュポイント１０２−１１８から集められた機能及び構成データに基づいたＩＥＥＥ８０２．１１ｎチャネル化モード（すなわち、２０ＭＨｚ、２×２０ＭＨｚ、又は４０ＭＨｚ）、構成、及び従来の保護モードに関するメッシュネットワーク１００の全て又は一部を構成する。構成はタイマが管理しており、この構成はある期間の間だけ有効であってもよい。タイマは従来のＳＴＡを検出するといった事象によりトリガを引かれてもよい。構成は周期的に更新してもよい。ＮＭＥ１４０は、特定のメッシュリンク、１組のメッシュリンク、メッシュポイントのサブセット、又は全メッシュネットワークを構成してもよい。メッシュポイント１０２−１１８の現状の構成データ（すなわち、ＩＥＥＥ８０２．１１ｎチャネル化モード、従来の保護モード、機能サポート、機能設定、及び設定条件（例えば、タイマ又は事象）等）は、メッシュポイント１０２−１１８又はＮＭＥ１４０におけるデータベース（例えば、管理情報ベース部（ＭＩＢ））に記憶してもよい。
【００２３】
ＮＭＥ１４０は、専用のメッセージ交換を用いてメッシュポイント１０２−１１８を構成してもよい。あるいは、ＮＭＥ１４０はマルチキャストメッセージ又はブロードキャストメッセージを使用し、メッシュポイント１０２−１１８を構成してもよい。上記構成のためのシグナル伝達は、プロトコルスタック（ｐｒｏｔｏｃｏｌ  ｐｒｏｓｅｓｓｉｎｇ  ｓｔａｃｋ）の任意の層における従来のシグナル送信プロトコルを用いて行ってもよい。例えば、インターネットプロトコル（ＩＰ）上のユーザデータグラムプロトコル（ＵＤＰ）上の簡易ネットワーク管理プロトコル（ＳＮＭＰ）を使用してもよい。あるいは、イーサタイプ（Ｅｉｔｈｅｒｔｙｐｅ）、ＩＥＥＥ８０２．３タイプ、又はＩＥＥＥ８０２．１１タイプのレイヤ２（Ｌ２）シグナル送信フレームを使用してもよい。
【００２４】
ＩＥＥＥ８０２．１１ｎ対応デバイスは、別の２０ＭＨｚチャネル（すなわち拡張チャネル）を占領する４０ＭＨｚオプションを使用してもよい。このような場合、チャネル衝突が拡張チャネルにおいて起こる可能性がある。チャネル衝突を防止するため、ＩＥＥＥ８０２．１１ｎ対応メッシュポイントは、静的、準動的、又は動的にそれらのチャネルマップから４０ＭＨｚ動作のための拡張チャネルをブロックしてもよい。
【００２５】
静的な構成については、拡張チャネルは、スタートアップの構成の間にＩＥＥＥ８０２．１１ｎ対応メッシュポイントを利用できないと印を付されている。これは、加入者識別モジュール（ＳＩＭ）カードのような設定機構により、又はソフトウェア／ドライバのダウンロードにより、例えばサービスプロバイダによって予め設定していてもよい。
【００２６】
準動的な構成については、拡張チャネルは、ＩＥＥＥ８０２．１１ｎ対応メッシュポイントと別のメッシュポイントとの間で特定の設定情報（例えば、管理フレーム又はＭＩＢに対するＳＮＭＰ等）を交換することにより利用不可能であると印を付してもよい。拡張チャネルは、衝突が検出されたときに利用不可能に設定してもよい。衝突は集められた統計値に基づいて検出してもよい。例として、ＳＮＭＰ及びＭＩＢは、公知のものであり、使用することができる、関連するメカニズムである。この設定変更は、ＩＥＥＥ８０２．１１ｎ対応メッシュポイントがメッシュネットワークに接続するときに起こってもよい。あるいは、可能にされた、不可能にされた、又は推奨されたチャネル又はチャネル帯域幅設定、従来の保護モードは、接続処理の間にメッシュポイント同士の間で通信してもよい。
【００２７】
動的な構成については、拡張チャネルは、制御フレーム又は管理フレームを交換することにより、リアルタイムで及び限られた時間（例えば、チャネルコーディネーションウインドウ（ｗｉｎｄｏｗ）、又は特定の期間）の間、ブロックしてもよい。例えば、拡張チャネルを使用することを望むメッシュポイントは、拡張チャネルを現在の期間の間、使用するとして印を付す制御フレームを送信してもよい。
【００２８】
拡張チャネルがＩＥＥＥ８０２．１１ｎ対応メッシュポイントにより使用されることを防止することを望むメッシュポイントは、別のメッシュポイントに制御フレーム又は管理フレームを送信してもよい（例えば、衝突が拡張チャネルにおいて検出されたとき）。この目的のために、新しい制御フレームを、拡張チャネルにおける衝突を表すのに定義してもよい。あるいは、従来の輻輳制御メッセージをこの目的のために使用してもよい。
【００２９】
同様に、ＣＣＦとＥＤＣＡとに基づいたメッシュアクセスモードのために、メッシュポイントは、２０ＭＨｚ、２×２０ＭＨｚ、又は４０ＭＨｚ動作を使用するこのメッシュポイントの意向を、隣接するメッシュポイント、メッシュネットワークにおけるメッシュポイントのサブセット、又は全メッシュネットワークにＬ２メッセージによって送信する。この隣接するメッシュポイント、メッシュネットワークにおけるメッシュポイントのサブセット、又は全メッシュネットワークは、このメッシュポイントが特定のチャネル設定、次にくるＴＸＯＰの間の従来の保護モード、チャネルアクセスウィンドウ、又は割り当てられたチャネルアクセス時間を使用するように意図しているものでる。
【００３０】
Ｌ２メッセージは、ユニキャストメッセージ、マルチキャストメッセージ、又はブロードキャストメッセージであってもよい。このメッセージは、管理フレーム、制御フレーム、又はその他の種類のフレームであってもよい。Ｌ２メッセージは、チャネルアクセスを試みる少し前（例えば、ＭＲＴＳ／ＭＣＴＳが使用されるとき）に使用するか、又はチャネルアクセスの間に交換されるシグナル送信フレームの一部であってもよい。
【００３１】
メッシュポイントは、予想されたチャネル設定、通知されたチャネル設定、又は観測されたチャネル設定についての情報をＬ２メッセージを介して１つ以上の隣接するメッシュポイント、メッシュネットワークにおけるメッシュポイントのサブセット、又は全メッシュネットワークに周期的に送信してもよい。例えば、メッシュポイントは、特定のチャネル設定が特定のＴＸＯＰ、所定の期間、又はＬ２メッセージを介する別のメッシュポイントに対するある事象の出現まで、有効であることを１つ以上のメッシュポイントに通知する。
【００３２】
ＮＭＥ１４０による設定を介するかメッシュネットワークに別のメッシュポイントとのメッセージ交換から特定の隣接するメッシュポイントの構成を知ると、メッシュポイントはデータベースを形成する。このデータベースは、メッシュポイントを特定のＩＥＥＥ８０２．１１ｎチャネル化モード（すなわち、２０ＭＨｚ、２×２０ＭＨｚ、又は４０ＭＨｚ）、設定モード、及び従来の保護モードにマッピングする。メッシュポイントは、このメッシュポイントがチャネルにアクセスしようと試みるときは必ずこのデータベースを使用し、最適なチャネル及び／又は帯域幅を選択する。データベースは、メッシュネットワークによるルーティング経路又は転送経路を決定するのに使用してもよい。
【００３３】
実施態様
実施態様１．複数のメッシュポイントを含むことを特徴とするメッシュネットワーク。
【００３４】
実施態様２．機能及び構成データを前記メッシュポイントから引き出し、前記機能及び構成データに基づいてＩＥＥＥ８０２．１１ｎチャネル化モード及び従来の保護モードに関する少なくとも１つのメッシュポイントを構成するＮＭＥをさらに含むことを特徴とする実施態様１に記載のメッシュネットワーク。
【００３５】
実施態様３．前記機能及び構成データは、少なくとも１つのＰＨＹ層スプーフィングに関する情報を含むことを特徴とする実施態様２に記載のメッシュネットワーク。
【００３６】
実施態様４．前記機能及び構成データは、２０ＭＨｚチャネル及び４０ＭＨｚチャネルの共存を管理するメカニズムに関する情報を含むことを特徴とする実施態様２又は３のいずれか１つに記載のメッシュネットワーク。
【００３７】
実施態様５．前記機能及び構成データは、管理及びチャネル選択方法に関する情報を含むことを特徴とする実施態様２から４のいずれか１つに記載のメッシュネットワーク。
【００３８】
実施態様６．前記機能及び構成データはＲＩＦＳ保護に関する情報を含んでいることを特徴とする実施態様２から５のいずれか１つに記載のメッシュネットワーク。
【００３９】
実施態様７．前記機能及び構成データは、グリーンフィールド保護に関する情報を含んでいることを特徴とする実施態様２から６のいずれか１つに記載のメッシュネットワーク。
【００４０】
実施態様８．前記機能及び構成データは、ＳＴＢＣ制御フレームに関する情報を含んでいることを特徴とする実施態様２から７のいずれか１つに記載のメッシュネットワーク。
【００４１】
実施態様９．前記機能及び構成データは、Ｌ−ＳＩＧＴＸＯＰ保護に関する情報を含んでいることを特徴とする実施態様２から８のいずれか１つに記載のメッシュネットワーク。
【００４２】
実施態様１０．前記機能及び構成データは、ＰＣＯに関する情報を含んでいることを特徴とする実施態様２から９のいずれか１つに記載のメッシュネットワーク。
【００４３】
実施態様１１．前記メッシュポイントの前記機能及び構成データは、前記メッシュポイントにおけるデータベースに記憶されることを特徴とする実施態様２から１０のいずれか１つに記載のメッシュネットワーク。
【００４４】
実施態様１２．前記メッシュポイントの前記機能及び構成データは、前記メッシュネットワークの外のデータベースに記憶されることを特徴とする実施態様２から１０のいずれか１つに記載のメッシュネットワーク。
【００４５】
実施態様１３．前記機能及び構成データは、接続処理の間又は後に前記メッシュポイントから引き出されることを特徴とする実施態様２から１２のいずれか１つに記載のメッシュネットワーク。
【００４６】
実施態様１４．前記ＮＭＥは、前記メッシュポイントに前記機能及び構成データを引き出すための要求を送信することを特徴とする実施態様２から１３のいずれか１つに記載のメッシュネットワーク。
【００４７】
実施態様１５．前記メッシュポイントは、前記要求に応じて前記機能及び構成データを送信することを特徴とする実施態様２から１３のいずれか１つに記載のメッシュネットワーク。
【００４８】
実施態様１６．前記メッシュポイントは、前記ＮＭＥからの要求無しに、前記ＮＭＥに前記機能及び構成データを通知することを特徴とする実施態様２から１３のいずれか１つに記載のメッシュネットワーク。
【００４９】
実施態様１７．前記メッシュポイントのための構成はタイマが管理しており、前記構成はある期間の間だけ有効であることを特徴とする実施態様２から１６のいずれか１つに記載のメッシュネットワーク。
【００５０】
実施態様１８．前記タイマは予め決められた事象により始動させられることを特徴とする実施態様態１７に記載のメッシュネットワーク。
【００５１】
実施態様１９．前記メッシュネットワークのための構成は周期的にアップデートされることを特徴とする実施態様２から１８のいずれか１つに記載のメッシュネットワーク。
【００５２】
実施態様２０．前記ＮＭＥは特定のメッシュリンクの１つを構成することを特徴とする実施態様２から１９のいずれか１つに記載のメッシュネットワーク。
【００５３】
実施態様２１．前記ＮＭＥは前記メッシュポイントのサブセットを構成することを特徴とする実施態様２から１９のいずれか１つに記載のメッシュネットワーク。
【００５４】
実施態様２２．前記ＮＭＥは全メッシュネットワークを構成することを特徴とする実施態様２から１９のいずれか１つに記載のメッシュネットワーク。
【００５５】
実施態様２３．前記メッシュネットワークの構成に関する情報は、前記ＮＭＥ及び前記メッシュポイントの少なくとも１つにおけるデータベースに記憶されることを特徴とする実施態様２から２２のいずれか１つに記載のメッシュネットワーク。
【００５６】
実施態様２４．前記ＮＭＥは専用のメッセージ交換部を用いて前記メッシュポイントを構成することを特徴とする実施態様２から２３のいずれか１つに記載のメッシュネットワーク。
【００５７】
実施態様２５．前記ＮＭＥはマルチキャストメッセージ及びブロードキャストメッセージの１つを用いて前記メッシュポイントを構成することを特徴とする実施態様２から２３のいずれか１つに記載のメッシュネットワーク。
【００５８】
実施態様２６．前記ＮＭＥはＳＮＭＰを使用し、前記メッシュポイントを構成することを特徴とする実施態様２から２３のいずれか１つに記載のメッシュネットワーク。
【００５９】
実施態様２７．前記ＮＭＥはＬ２シグナル送信フレームを使用し、前記メッシュポイントを構成することを特徴とする実施態様２から２３のいずれか１つに記載のメッシュネットワーク。
【００６０】
実施態様２８．少なくとも１つのメッシュポイントは、そのチャネルマップから４０ＭＨｚ動作のための拡張チャネルをブロックすることを特徴とする実施態様２から２７のいずれか１つに記載のメッシュネットワーク。
【００６１】
実施態様２９．前記拡張チャネルはセットアップ構成の間に静的にブロックされることを特徴とする実施態様２８に記載のメッシュネットワーク。
【００６２】
実施態様３０．前記拡張チャネルはサービスプロバイダにより構成されることを特徴とする実施態様２８に記載のメッシュネットワーク。
【００６３】
実施態様３１．前記拡張チャネルは加入者識別モジュール（ＳＩＭ）カードのような構成手段により構成されることを特徴とする実施態様２８に記載のメッシュネットワーク。
【００６４】
実施態様３２．前記拡張チャネルはソフトウェア／ドライバダウンロードされたものにより構成されることを特徴とする実施態様２８に記載のメッシュネットワーク。
【００６５】
実施態様３３．前記拡張チャネルは構成メッセージに従い準動的にブロックされることを特徴とする請求項２８に記載のメッシュネットワーク。
【００６６】
実施態様３４．前記メッシュポイントは、接続処理の間に、チャネル構成及び従来の保護モードに関する情報を別のメッシュポイントに送信することを特徴とする実施態様３３に記載のメッシュネットワーク。
【００６７】
実施態様３５．前記拡張チャネルは前記情報に基づいてブロックされることを特徴とする実施態様３３に記載のメッシュネットワーク。
【００６８】
実施態様３６．前記拡張チャネルはリアルタイムで動的にブロックされることを特徴とする実施態様２８に記載のメッシュネットワーク。
【００６９】
実施態様３７．前記拡張チャネルは限られた時間の間に動的にブロックされることを特徴とする実施態様２８に記載のメッシュネットワーク。
【００７０】
実施態様３８．前記メッシュポイントは隣接するメッシュポイントからのメッセージに基づいて前記拡張チャネルをブロックすることを特徴とする実施態様２８に記載のメッシュネットワーク。
【００７１】
実施態様３９．輻輳制御メッセージが、前記メッセージを送信するのに使用されることを特徴とする実施態様３８に記載のメッシュネットワーク。
【００７２】
実施態様４０．前記メッシュポイントはＬ２メッセージを介して互いに通信することを特徴とする実施態様３８に記載のメッシュネットワーク。
【００７３】
実施態様４１．前記Ｌ２メッセージはユニキャストメッセージであることを特徴とする実施態様４０に記載のメッシュネットワーク。
【００７４】
実施態様４２．前記Ｌ２メッセージはマルチキャストメッセージであることを特徴とする実施態様４０に記載のメッシュネットワーク。
【００７５】
実施態様４３．前記Ｌ２は管理フレーム及び制御フレームの一方であることを特徴とする実施態様４０から４２のいずれか１つに記載のメッシュネットワーク。
【００７６】
実施態様４４．前記Ｌ２メッセージはチャネルアクセスを試みる少し前に送信されることを特徴とする実施態様４０から４３のいずれか１つに記載のメッシュネットワーク。
【００７７】
実施態様４５．前記Ｌ２メッセージはチャネルアクセスのためのシグナル送信フレームの一部として送信されることを特徴とする実施態様４４に記載のメッシュネットワーク。
【００７８】
実施態様４６．前記メッシュポイントはデータベースを確立し、前記データベースは、メッシュネットワークにおけるメッシュポイントを特定のＩＥＥＥ８０２．１１ｎチャネル化モード及び従来の保護モードにマッピングすることを特徴とする実施態様２から４５のいずれか１つに記載のメッシュネットワーク。
【００７９】
実施態様４７．前記メッシュネットワークは前記データベースを使用し、最適なチャネル及び帯域幅を選択することを特徴とする実施態様４６に記載のメッシュネットワーク。
【００８０】
実施態様４８．前記メッシュポイントは前記データベースを使用し、前記メッシュネットワークを介するルーティング経路及び転送経路を決定することを特徴とする実施態様４６又は４７のいずれか１つに記載のメッシュネットワーク。
【００８１】
本発明の特徴及び要素は、好ましい実施形態において、特に特定の組み合わせで説明されたが、各特徴又は要素は、好ましい実施形態のその他の特徴又は要素無しにそれだけで使用されてもよく、又は本発明のその他の特徴及び要素を有する若しくは有していない様々な組み合わせで使用されてもよい。本発明において提供された方法又はフローチャートは、汎用コンピュータ又はプロセッサにより実行するためにコンピュータ可読媒体において具体的に実行されるコンピュータプログラム、ソフトウェア、又はファームウェアに実装されていてもよい。コンピュータ可読格納媒体の例は、リードオンリメモリ（ＲＯＭ）、ランダムアクセスメモリ（ＲＡＭ）、レジスタ、キャッシュメモリ、半導体メモリデバイス、内蔵ハードディスク及び取り外し可能なディスクのような磁気媒体、磁気光学媒体、並びにＣＤ−ＲＯＭディスク及びデジタル多用途ディスク（ＤＶＤ）のような光学媒体を含んでいる。
【００８２】
適切なプロセッサは、例として、汎用プロセッサ、特殊用途プロセッサ、従来のプロセッサ、デジタルシグナルプロセッサ（ＤＳＰ）、複数のマイクロプロセッサ、ＤＳＰコアと共に用いられる１つ以上のマイクロプロセッサ、コントローラ、マイクロコントローラ、特定用途向け集積回路（ＡＳＩＣ）、フィールドプログラマブルゲートアレイ（ＦＰＧＡ）回路、その他の種類の集積回路（ＩＣ）、及び／又はステートマシンを含んでいる。
【００８３】
ソフトウェアと共に用いられるプロセッサが、無線周波数トランシーバを実装するのに使用され、この無線周波数トランシーバは、ワイヤレス送受信ユニット（ＷＴＲＵ）、ユーザ装置（ＵＥ）、ターミナル（端末）、基地局、無線ネットワークコントローラ（ＲＮＣ）、又はホストコンピュータにおいて使用される。ＷＴＲＵは、ハードウェア及び／又はソフトウェアにおいて実装されるモジュールと共に使用されてもよく、このモジュールは、カメラ、ビデオカメラモジュール、テレビ電話、スピーカホン、振動デバイス、スピーカ、マイク、テレビトランシーバ、ハンズフリーヘッドセット、キーボード、ブルートゥース（登録商標）モジュール、周波数変調（ＦＭ）無線ユニット、液晶ディスプレイ（ＬＣＤ）ディスプレイユニット、有機発光ダイオード（ＯＬＥＤ）ディスプレイユニット、デジタル音楽プレーヤ、メディアプレーヤ、ビデオゲームプレーヤモジュール、インターネットブラウザ、及び／又はワイヤレスローカルエリアネットワーク（ＷＬＡＮ）モジュールである。
【図１】
0005572743.tif 000003